(57)【要約】【課題】画像に影響が及ぶ編集が行われた場合であっても、確実に適正な検査ができるようにする。【解決手段】画像形成部で画像形成が行われた用紙をスキャナ部で読み取った画像を、予め用意された正解画像と比較して解析することで検査を行う解析部と、画像形成部で形成する画像の編集を行う操作部と、操作部での編集により画像形成用の画像が変更されたとき、正解画像を更新させる更新ジョブを自動で開始する制御部とを備える。更新ジョブが自動で開始されることで、画像編集後に正解画像の更新が行われないことによる無駄紙の発生防止や、余計な作業工程の増加を防ぐことができる。【選択図】図１
2020037201.tif 000002
【特許請求の範囲】
【請求項１】
印刷を行う画像を記憶するデータ記憶部と、
搬送される用紙に、前記データ記憶部に記憶された画像を形成する画像形成部と、
前記画像形成部で用紙に形成された画像を読み取るスキャナ部と、
前記スキャナ部で読み取った画像を、予め用意された正解画像と比較して解析することで検査を行う解析部と、
前記データ記憶部に記憶された画像の編集を行う操作部と、
前記操作部での編集により、前記データ記憶部に記憶された画像が変更されたとき、前記正解画像を更新させる更新ジョブを自動で開始する制御部と、を備える
画像形成装置。
【請求項２】
前記制御部は、前記操作部による編集が確定した際に、正解画像を更新する更新ジョブを開始する警告画面を表示して、該当する更新ジョブを開始する
請求項１に記載の画像形成装置。
【請求項３】
前記更新ジョブの開始が予約された状態で、前記操作部で画像の再度の編集があるとき、予約された前記更新ジョブで前記再度の編集内容を反映する
請求項１に記載の画像形成装置。
【請求項４】
前記操作部での画像の編集が、特定の頁のみであるとき、前記更新ジョブは、前記特定の頁の正解画像だけを更新する
請求項１に記載の画像形成装置。
【請求項５】
前記操作部での画像の編集の際に、前記解析部での自動検品をオフとする設定があるとき、正解画像を更新する更新ジョブの自動開始を行わない
請求項１に記載の画像形成装置。
【請求項６】
前記更新ジョブの開始が予約された状態で、前記操作部で画像の再度の編集で、元の画像に戻されたとき、予約された前記更新ジョブを削除する
請求項１に記載の画像形成装置。
【請求項７】
前記正解画像が複数の検査ジョブに紐づけられている場合に、前記更新ジョブを実行せずに、新規に検査ジョブを作成する
請求項１に記載の画像形成装置。
【請求項８】
印刷を行う画像を記憶する記憶処理と、
搬送される用紙に、前記記憶処理で記憶した画像を形成する画像形成処理と、
前記画像形成処理で用紙に形成された画像を読み取る読み取り処理と、
前記読み取り処理で読み取った画像を、予め用意された正解画像と比較して解析することで検査を行う解析処理と、
前記記憶処理により記憶した画像の編集が行われて、前記記憶処理により記憶した画像が変更されたとき、前記正解画像を更新する更新ジョブを自動で開始する制御処理と、を含む
画像形成方法。
【請求項９】
用紙に画像を形成させる手順をコンピュータに実行させるプログラムにおいて、
印刷を行う画像を記憶する記憶手順と、
搬送される用紙に、前記記憶手順で記憶された画像を形成する画像形成手順と、
前記画像形成手順で用紙に形成された画像を読み取る読み取り手順と、
前記読み取り手順で読み取った画像を、予め用意された正解画像と比較して解析することで検査を行う解析手順と、
前記記憶手順により記憶した画像の編集が行われて、前記記憶手順により記憶した画像が変更されたとき、前記正解画像を更新する更新ジョブを自動で開始する制御手順と、を含む
プログラム。
【発明の詳細な説明】
【技術分野】
【０００１】
本発明は、用紙に画像を形成する画像形成装置、画像形成方法およびプログラムに関し、特に画像形成時に検査を行う場合に適用される技術に関する。
【背景技術】
【０００２】
用紙に画像を形成して印刷物を得る画像形成装置として、用紙に画像を形成した印刷物に不良がないか否かを検査する検査機能（検品機能）を備えたものがある。
検査機能は、あらかじめ紐付けられた正解画像と、検査対象となる印刷物とを比較し、汚れ・角折れ・しわ・用紙傾きなどの不良印刷物を特定し、自動的に不良品（いわゆるヤレ紙）として、良品とは別のトレイに排紙するものである。ここでの正解画像とは、検査対象となる印刷物の１部を印刷して、スキャナで読み取った画像である。
【０００３】
特許文献１には、印刷に関する設定が変更された場合に、変更内容に応じて、サンプル出力などの推奨機能を画面に表示する技術が記載されている。
【先行技術文献】
【特許文献】
【０００４】
【特許文献１】特開２０１６−２１５５１１号公報
【発明の概要】
【発明が解決しようとする課題】
【０００５】
上述したように、検査機能では、予め用意された正解画像と印刷物とを比較して、良品か不良品かを判別するものである。したがって、最初に１部だけ印刷を行って、その印刷物をスキャナで読み取らせて、正解画像を得た後に、ユーザが再度、印刷する画像に影響が及ぶ編集を行った場合には、正解画像についても修正が必要になる。
【０００６】
しかしながら、正解画像を修正する作業は、編集作業者が任意で実施する作業であるため、画像の編集を行った後、正解画像を修正することを忘れてしまうことが多々ある。正解画像を修正する作業の実行を行わなかった場合、以後の印刷物は、検査を行っても、全て正解画像とは一致せず、全て不良品用のトレイに排紙されてしまう。このようなことがあると、無駄紙が発生してしまうと共に、不良品となった印刷物を、再度検査する等の対処が必要になり、余計な作業時間を生じさせることになる。
【０００７】
特許文献１に記載されるように、印刷に関する設定が変更された場合に、サンプル出力などの推奨機能をユーザに通知することは従来から知られているが、従来から行われているのは、設定変更時に推奨機能を通知するだけである。したがって、画像編集などの変更があったときに、その変更後の印刷時に適正な検査ができない状況が発生するのを確実に防止することは、従来手法では困難であった。
【０００８】
本発明は、画像に影響が及ぶ編集が行われた際に、確実に適正な検査ができる画像形成装置、画像形成方法およびプログラムを提供することを目的とする。
【課題を解決するための手段】
【０００９】
本発明の画像形成装置は、印刷を行う画像を記憶するデータ記憶部と、搬送される用紙にデータ記憶部に記憶された画像を形成する画像形成部と、画像形成部で用紙に形成された画像を読み取るスキャナ部と、スキャナ部で読み取った画像を予め用意された正解画像と比較して解析することで検査を行う解析部と、データ記憶部に記憶された画像の編集を行う操作部と、操作部での編集によりデータ記憶部に記憶された画像が変更されたとき、正解画像を更新させる更新ジョブを自動で開始する制御部と、を備える。
【００１０】
また、本発明の画像形成方法は、印刷を行う画像を記憶するデータ記憶処理と、搬送される用紙にデータ記憶処理で記憶した画像を形成する画像形成処理と、画像形成処理で用紙に形成された画像を読み取る読み取り処理と、読み取り処理で読み取った画像を予め用意された正解画像と比較して解析することで検査を行う解析処理と、データ記憶処理により記憶された画像の編集が行われて、データ記憶処理により記憶された画像が変更されたとき、正解画像を更新する更新ジョブを自動で開始する制御処理と、を含む。
【００１１】
また、本発明のプログラムは、上述した画像形成方法が備える各処理を実行する手順を有するプログラムである。
【発明の効果】
【００１２】
本発明によると、画像の編集作業を行った際には、自動的に検品用の正解画像を更新する更新ジョブが実行され、更新ジョブのし忘れによる無駄紙の発生を防ぐことができると共に、検品の再実行による無駄な作業時間の発生を防止できる。
【図面の簡単な説明】
【００１３】
【図１】本発明の一実施の形態例による装置の内部構成例を示すブロック図である。
【図２】本発明の一実施の形態例による装置例を示す構成図である。
【図３】本発明の一実施の形態例による画像編集時の処理手順の例を示すフローチャートである。
【図４】本発明の一実施の形態例による画像編集時の画面の例を示す図である。
【図５】本発明の一実施の形態例による画像編集後のジョブリストの画面の例を示す図である。
【図６】本発明の一実施の形態例による画像編集後のジョブ選択画面の例を示す図である。
【図７】本発明の一実施の形態例による画像編集後の正解画像の管理画面の例を示す図である。
【図８】本発明の一実施の形態例による画像編集後のジョブリストの画面の例を示す図である。
【図９】本発明の一実施の形態の変形例による画像編集時の処理手順の例を示すフローチャートである。
【発明を実施するための形態】
【００１４】
以下、本発明の一実施の形態例を、添付図面を参照して説明する。
［１．システム構成例］
図１は、本例の画像形成装置の構成例を示す。
本実施の形態例の画像形成装置は、用紙に画像を形成する印刷を行い、その印刷された用紙の検査を行うものである。
図１に示す画像形成装置１００は、給紙部１０１、画像形成部１０２、定着部１０３、スキャナ部１０４、測色部１０５、後処理部１０６、および排紙部１０７を備える。また、画像形成装置１００は、制御部１１１、解析部１１２、データ記憶部１１３、表示部１１４、および操作部１１５を備える。
【００１５】
給紙部１０１は、印刷を行う用紙が装填され、画像形成動作の実行により、１枚ずつ画像形成部１０２に搬送する動作を行う。
画像形成部１０２は、給紙部１０１から搬送された用紙に、トナーやインクを付着させて画像を形成する画像形成処理を行う。
定着部１０３は、画像形成部１０２で用紙に形成された画像を定着する。なお、画像形成を行う方式によっては、定着部１０３を備えない場合もある。
【００１６】
スキャナ部１０４は、画像形成部１０２で用紙に形成された画像を読み取る処理（読み取り処理）を行う。
測色部１０５は、画像形成部１０２で用紙に形成された画像の色を測定する。この測色部１０５は省略してもよい。
後処理部１０６は、画像が形成された用紙に対して、設定された後処理を行う。この後処理では、例えば、用紙を閉じる処理や折る処理などが行われる。
排紙部１０７は、後処理部１０６から搬送された用紙を排紙する。
【００１７】
制御部１１１は、画像形成装置１００内の各部の動作を制御する。
解析部１１２は、スキャナ部１０４で読み取った画像と予め用意された正解画像とを比較して、画像形成が適正に行われたか否かの検査を行う。ここでの正解画像は、最初に１部のみを印刷して、その印刷物をスキャナ部１０４で読み取って得たものである。この正解画像を取得する処理は、制御部１１１による制御に基づいて、本印刷を開始する前に実行される。
【００１８】
データ記憶部１１３は、画像形成部１０２で用紙に形成する画像のデータや、画像形成時の設定条件などのデータを記憶する記憶処理を行う。また、データ記憶部１１３は、解析部１１２での検査時に必要な正解画像のデータについても記憶する。なお、データ記憶部１１３は、複数の印刷ジョブの画像データを記憶することができ、正解画像のデータは、原則としてそれぞれの印刷ジョブごとに記憶される。
【００１９】
表示部１１４と操作部１１５は一体に構成され、表示部１１４は、印刷のための操作状況や印刷する画像の編集状態などを示す画面を表示し、操作部１１５は、表示画面上のユーザによるタッチを検出して、操作入力を受け付ける。
【００２０】
図２は、画像形成装置１００の装置形状の例を示す。図２では、装置の外形形状だけでなく、画像形成部１０２などの一部の概略構成についても示されている。
図２に示すように、給紙部１０１から用紙が画像形成部１０２に搬送され、画像形成部１０２で用紙の表面または裏面にトナーまたはインクでカラー画像または所定色の画像が形成される。画像形成部１０２で用紙に形成される画像は、操作部１１５などを使った操作によりデータ記憶部１１３（図１）に予め記憶された画像データに基づいた画像である。
画像形成部１０２で画像が形成された用紙は、定着部１０３に搬送され、用紙上の画像の定着処理が行われる。
【００２１】
定着部１０３で定着処理が行われた用紙は、スキャナ部１０４に搬送され、スキャナ部１０４で読み取り処理が行われ、解析部１１２（図１）で、スキャナ部１０４で読み取られた画像と、予め用意された正解画像とを比較する解析処理が行われる。また、スキャナ部１０４で読み取り処理が行われた用紙は、さらに測色部１０５に送られ、測色部１０５で画像の色を測定する測色処理が行われる。この測色部１０５での測色処理は省略してもよい。
【００２２】
そして、測色部１０５で測色処理が行われた用紙が、後処理部１０６に搬送され、用紙を閉じる処理や折る処理などの後処理が行われる。
後処理部１０６で後処理が行われた用紙は、排紙部１０７から排紙される。ここで、画像形成装置１００は、図２に示すように２つの排紙トレイ１０７ａ，１０７ｂを備える。例えば、解析部１１２での検査で良品と判別された用紙については排紙トレイ１０７ａに排紙され、不良品と判別された用紙については排紙トレイ１０７ｂに排紙される。
【００２３】
また、図２に示すように画像形成装置１００は、表示部１１４と操作部１１５を備え、ユーザは操作部１１５での操作により印刷を行う画像の登録や印刷開始などを指示することができる。さらに、本実施の形態例の画像形成装置１００は、表示部１１４での表示と操作部１１５での操作により、印刷用にデータ記憶部１１３に記憶された画像の編集を行うことができる。この画像編集としては、例えばシフト量変更、面付け変更、トーンカーブ変更などの画像形成する画像そのものの内容に変更が及ぶような編集が可能である。
【００２４】
なお、図２に示す画像形成装置１００は、一つの装置として一体に構成した例を示すが、複数の機器で画像形成装置１００を構成してもよい。例えば、画像形成部１０２を備えた本体ユニットと、スキャナ部１０４を備えた検査ユニットと、後処理部１０６を備えた後処理ユニットとを個別に構成し、これらのユニットを接続して１つの装置として機能するようにしてもよい。
【００２５】
また、図２に示す画像形成装置１００では、装置本体に搭載された表示部１１４と操作部１１５を使って画像編集を行うようにしたが、画像形成装置１００に接続されたコンピュータ装置などの情報処理装置が備える表示部と操作部を使って、画像編集を行うようにしてもよい。
【００２６】
［２．画像編集時の処理の流れ］
次に、図３のフローチャートを参照して、本実施の形態例の画像形成装置１００で、印刷用にデータ記憶部１１３に記憶された画像の編集を行った場合の処理の流れを説明する。
まず、ユーザは、データ記憶部１１３に記憶された画像を編集するためのジョブ編集画面を、表示部１１４に表示する（ステップＡ１１）。ジョブ編集画面の具体例については後述する。そして、操作部１１５を使ったユーザ操作によって、各種画像編集を行う。
【００２７】
その後、データ記憶部１１３が記憶した画像を、編集後の画像に上書き保存する上書き釦を押下する操作を検出したとき、編集後の画像をデータ記憶部１１３に上書き保存する（ステップＡ１２）。
この画像データの上書き保存があったとき、制御部１１１は、このときの編集が正解画像に影響が及ぶ修正か否かを判断する（ステップＡ１３）。ここで、編集後の画像が、正解画像に影響が及ぶ修正でない場合には（ステップＡ１３のＮＯ）、正解画像の修正を行うことなく、画像編集処理を終了する。
【００２８】
そして、ステップＡ１３で、編集後の画像が、正解画像に影響が及ぶ修正であると判断した場合には（ステップＡ１３のＹＥＳ）、該当する画像の正解画像を作成する更新ジョブを、予約ジョブに積み上げ、制御部１１１の制御で該当する更新ジョブを自動的に開始する（ステップＡ１４）。なお、この更新ジョブの自動的な開始時には、制御部１１１の制御で表示部１１４の画面上に、「更新ジョブ開始」を告知する文字などを表示するようにしてもよい。
更新ジョブの開始で、編集後の画像による印刷が１部だけ行われ、印刷して用紙に形成された画像が、スキャナ部１０４で読み取られる。そして、読み取られた画像が正解画像としてデータ記憶部１１３に保存される（ステップＡ１５）。
【００２９】
次に、制御部１１１は、保存される正解画像に紐付けられた画像が、ステップＡ１１でジョブ編集を行った画像だけであるか、あるいは別の画像についても紐付けられているかを判断する（ステップＡ１６）。
このステップＡ１６の判断で、ステップＡ１１でジョブ編集を行った１つのジョブ以外のジョブの画像にも正解画像が紐付けられていた場合には（ステップＡ１６のＹＥＳ）、制御部１１１は、ステップＡ１５で保存した正解画像を、新規の正解画像として保存する（ステップＡ１７）。そして、制御部１１１は、ステップＡ１７で保存した正解画像を、ステップＡ１１でジョブ編集を行った１つのジョブの画像を検査するための正解画像とする紐付け処理を行い、画像編集処理を終了する（ステップＡ１８）。なお、このとき、更新前の正解画像については、ステップＡ１８で紐付けたジョブとの紐付けを解除し、その他のジョブとの紐付けだけとする処理を行う。
【００３０】
また、ステップＡ１６の判断で、ステップＡ１１でジョブ編集を行った１つのジョブだけに正解画像が紐付けられていた場合には（ステップＡ１６のＮＯ）、制御部１１１は、ステップＡ１５で保存した正解画像を、編集前の正解画像と置き換えて上書き保存し、画像編集処理を終了する（ステップＡ１９）。
【００３１】
［３．編集時の画面の例］
図４は、画像編集時に表示部１１４に表示される画面の例を示す。
ユーザは、表示部１１４に、図４に示す編集画面を表示する。ここで呼び出したジョブは、画面の左端のほぼ中央の出力設定の欄に記載したように、「正解画像名：正解α」と称されるジョブである。
この「正解画像名：正解α」を呼び出す操作をユーザが行うことで、該当するジョブの印刷に関する様々な設定状態が、画面に表示される。例えば、図４に示すように、用紙設定、印刷面の設定、出力設定、画質調整、その他の設定などの項目がある。
【００３２】
ここで、例えばユーザは、画質調整の中の１つの項目であるトーンカーブ調整を、変更したとする。この変更は、画面中のＳ１１での設定をオンからオフにする変更である。このように画質調整を行ったとき、図３のフローチャートのステップＡ１３での判断で、編集部分が正解画像に影響が出る修正であると判断される。また、用紙設定、印刷面の設定、出力設定などの画質に関係しない設定が変更されたときには、図３のフローチャートのステップＡ１３での判断で、編集部分が正解画像に影響が出ない修正であると判断される。
【００３３】
そして、図４の画面の右下の上書き保存釦がユーザにより押下されると（画面中のＳ１２での釦操作）、制御部１１１は、図３のフローチャートのステップＡ１５での正解画像の更新ジョブを開始する。
【００３４】
正解画像の更新ジョブが開始されると、表示部１１４は、図５に示す更新ジョブ開始を示す画面を表示する。
ここでは、ジョブの欄に、正解画像の更新ジョブが予約されたことが表示される（Ｓ１３の表示）。そして、該当するジョブが実行可能であるとき、つまり画像形成部１０２で用紙への画像形成が可能であるとき、予約された更新ジョブとしての用紙への画像形成と、形成された画像のスキャナ部１０４での読み込み処理が行われる。
【００３５】
このようにして更新ジョブが実行されることで、画像編集が行われたとき、自動的にその画像についての検査用の正解画像についても更新される。したがって、画像編集を行った後に、ユーザが検査用の正解画像を更新する作業を手動操作で行う必要がなくなり、正解画像の更新をし忘れによる無駄紙の発生を防止することができる。また、正解画像の更新をしなかったことによって発生した不良品となった印刷物を、再度検査する等の対処も不要になり、余計な作業時間を生じさせることを防止できる。
【００３６】
図６〜図８は、正解画像に紐付けられたジョブ画像が複数存在するときの画面の例を示す。
この正解画像に紐付けられたジョブ画像が複数存在するときの処理は、図３のフローチャートで、ジョブ編集を行った１つのジョブ以外のジョブの画像にも正解画像が紐付けられていた場合（ステップＡ１６のＹＥＳ）に相当する。
【００３７】
図６は、印刷ジョブの一覧を示す画面の例を示す。
図６の画面では、２つの印刷ジョブＪａ，Ｊｂを保存した状態が示されている。印刷ジョブＪａと印刷ジョブＪｂは、いずれも検査時に同じ正解画像αを使用する。印刷ジョブＪａと印刷ジョブＪｂは、画像以外の設定が異なる。
【００３８】
このような印刷ジョブが用意された状態で、例えば印刷ジョブＪｂについて、画像編集が行われて、画質などの画像に関する編集が行われたとする。このとき、正解画像αを更新する更新ジョブが実行されるが、正解画像αは上書き保存されず、更新された正解画像は、別の正解画像βとして保存される。
【００３９】
図７は、この場合の正解画像の管理画面の例を示す。
図７に示すように、印刷ジョブＪｂに対応した正解画像αと、印刷ジョブＪｂに対応した正解画像βとの、２つの正解画像がデータ記憶部１１３に保存される。
【００４０】
そして、印刷ジョブの一覧画面として、図８に示すように、正解画像αが登録された印刷ジョブＪａと、正解画像βが登録された編集後の印刷ジョブＪｂ′との２つに更新される。
【００４１】
［４．変形例］
なお、上述した実施の形態例では、正解画像を更新する更新ジョブが、直ちに実行される例を示したが、画像形成装置１００が何らかの印刷ジョブの実行中などで、直ちに更新ジョブが実行されない場合もある。
この場合、正解画像の更新ジョブは、予約ジョブの１つに登録され、登録された予約ジョブが実行できるタイミングに実行される。
【００４２】
このように、正解画像を更新する更新ジョブが予約された場合において、予約中にさらに画像編集が行われることがある。この更新ジョブの予約中の画像編集があったとき、制御部１１１は、予約された更新ジョブを取り消し、再度編集した画像に基づいた正解画像の更新ジョブの予約に変更する。
【００４３】
図９は、この場合の処理の流れの例を示すフローチャートである。
図９において、ステップＡ１１〜Ａ１９の処理は、図３のステップＡ１１〜Ａ１９の処理と同じであり、説明を省略する。
そして、図９に示すフローチャートでは、制御部１１１は、ステップＡ１３で編集後の画像が正解画像に影響が及ぶ修正であると判断した場合（ステップＡ１３のＹＥＳ）、同じ条件で実行を指示した正解画像更新の予約ジョブがあるか否かを判断する（ステップＡ２０）。
【００４４】
この判断で、同じ条件で実行を指示した正解画像更新の予約ジョブがない場合には（ステップＡ２０のＮＯ）、制御部１１１は、ステップＡ１４の処理に移行し、図３のフローチャートと同様に処理される。
一方、ステップＡ２０の判断で、同じ条件で実行を指示した正解画像更新の予約ジョブが存在した場合には（ステップＡ２０のＹＥＳ）、制御部１１１は、該当する予約ジョブの内容を、新たに編集した内容に更新する（ステップＡ２１）。その後、予約ジョブの実行タイミングになると、制御部１１１は、ステップＡ１５の処理に移行して、該当する予約ジョブを実行する。
【００４５】
このように正解画像の更新ジョブが予約された状態で、さらに画像編集が行われた場合には、正解画像の更新ジョブが最新のものだけ実行され、更新ジョブが無駄に複数回繰り返されることがなくなる。
【００４６】
また、表示部１１４と操作部１１５での操作に基づいた画像の編集が、複数頁で構成される印刷物の特定の頁のみの編集であるとき、自動的に実行される更新ジョブでは、その編集を行った特定の頁の正解画像だけを更新するようにしてもよい。
【００４７】
さらに、操作部１１５での操作に基づいて画像の編集を行った際に、自動検品をオフとする設定があるときには、正解画像を更新させる更新ジョブの自動開始を行わないようにしてもよい。
【００４８】
さらに、図４などに示す画面は一例を示すものであり、画像編集時の画面や、正解画像更新処理時の画面として、その他の構成としてもよい。
【００４９】
また、上述した実施の形態例では、画像形成装置が画像編集時に正解画像の更新を自動的に実行する構成としたが、例えば上述した実施の形態で説明した正解画像の更新を自動的に実行するプログラムを作成して、そのプログラムを既存の画像形成装置に実装することで、既存の画像形成装置が同様の動作を行うようにしてもよい。この場合のプログラムは、例えば、各種記録媒体に記録して、画像形成装置を制御するコンピュータに実装することで実現できる。
【符号の説明】
【００５０】
１００…画像形成装置、１０１…給紙部、１０２…画像形成部、１０３…定着部、１０４…スキャナ部、１０５…測色部、１０６…後処理部、１０７…排紙部、１１１…制御部、１１２…解析部、１１３…データ記憶部、１１４…表示部、１１５…操作部
【図１】
2020037201.tif 000003
【図２】
2020037201.tif 000004
【図３】
2020037201.tif 000005
【図４】
2020037201.tif 000006
【図５】
2020037201.tif 000007
【図６】
2020037201.tif 000008
【図７】
2020037201.tif 000009
【図８】
2020037201.tif 000010
【図９】
2020037201.tif 000011